(57)【特許請求の範囲】
【請求項１】
内燃機関の燃料供給システムの高圧領域の圧力を定める蓄圧器の圧力目標値である蓄圧器圧力目標値を決定するための方法であって、
機関回転数（ｎ）およびトルク要求（Ｍ）に基づいて蓄圧器圧力目標値を設定する第１の特性マップ（Ｋｐ）から、第１の計算時点での第１の蓄圧器圧力目標値（Ｐ＿Ｒａｉｌ＿Ｓｏｌｌ’（ｔ−１））と、前記第１の計算時点より時間的に後の第２の計算時点での第２の蓄圧器圧力目標値（Ｐ＿Ｒａｉｌ＿Ｓｏｌｌ’（ｔ））とを取得し、前記第１の蓄圧器圧力目標値と前記第２の蓄圧器圧力目標値との差を取得し、
機関システム量（ＩｎｊＣｔｌ＿ｑＳｅｔＵｎＢａｌ）および平均機関回転数（Ｅｎｇ＿ｎＡｖｒｇ）に基づいて蓄圧器圧力上昇勾配を設定する第２の特性マップ（Ｒａｉｌ＿ｄｐＳｅｔＰｏｉｎｔＩｎｃ＿Ｍａｐ）から、蓄圧器圧力上昇勾配を取得し、変速機の速度段（Ｇｅａｂｘ＿ｓｔＧｅａｒ）および蓄圧器圧力（ＲａｉｌＣＤ＿ｐＰｅａｋ）に基づいて蓄圧器圧力上昇勾配に対する補正値を設定する第３の特性マップ（Ｒａｉｌ＿ｄｐＳｅｔＰｏｉｎｔＩｎｃＯｆｓ＿Ｍａｐ）から取得される補正値により、前記取得された蓄圧器圧力上昇勾配を補正し、該補正された蓄圧器圧力上昇勾配を所定の最大値と最小値とのあいだに制限することにより、制限された蓄圧器圧力上昇勾配（Ｒａｉｌ＿ｄｐＳｅｔＰｏｉｎｔＩｎｃ）を形成し、
前記差と前記制限された蓄圧器圧力上昇勾配（Ｒａｉｌ＿ｄｐＳｅｔＰｏｉｎｔＩｎｃ）とを比較して、小さいほうの値を選択し、
該選択された小さいほうの値を前記第１の蓄圧器圧力目標値（Ｐ＿Ｒａｉｌ＿Ｓｏｌｌ’（ｔ−１））に加算して、現在の蓄圧器圧力目標値を取得する、
ことを特徴とする蓄圧器圧力目標値を決定するための方法。
【請求項２】
内燃機関の燃料供給システムの高圧領域の圧力を定める蓄圧器の圧力目標値である蓄圧器圧力目標値を決定する、内燃機関の制御装置であって、
機関回転数（ｎ）およびトルク要求（Ｍ）に基づいて蓄圧器圧力目標値を設定している、蓄圧器圧力目標値（Ｐ＿Ｒａｉｌ＿Ｓｏｌｌ）を求めるための第１の特性マップ（Ｋｐ）と、
前記第１の特性マップ（Ｋｐ）から、第１の計算時点での第１の蓄圧器圧力目標値（Ｐ＿Ｒａｉｌ＿Ｓｏｌｌ’（ｔ−１））と、該第１の計算時点より時間的に後の第２の計算時点での第２の蓄圧器圧力目標値（Ｐ＿Ｒａｉｌ＿Ｓｏｌｌ’（ｔ））とを取得し、前記第１の蓄圧器圧力目標値と前記第２の蓄圧器圧力目標値との差を取得する手段と、
蓄圧器圧力上昇勾配を取得するための、機関システム量（ＩｎｊＣｔｌ＿ｑＳｅｔＵｎＢａｌ）および平均機関回転数（Ｅｎｇ＿ｎＡｖｒｇ）に基づいて蓄圧器圧力上昇勾配を設定している第２の特性マップ（Ｒａｉｌ＿ｄｐＳｅｔＰｏｉｎｔＩｎｃ＿Ｍａｐ）と、
取得された蓄圧器圧力上昇勾配を補正するための、変速機の速度段（Ｇｅａｂｘ＿ｓｔＧｅａｒ）および蓄圧器圧力（ＲａｉｌＣＤ＿ｐＰｅａｋ）に基づいて蓄圧器圧力上昇勾配に対する補正値を設定している第３の特性マップ（Ｒａｉｌ＿ｄｐＳｅｔＰｏｉｎｔＩｎｃＯｆｓ＿Ｍａｐ）と、
補正された蓄圧器圧力上昇勾配を所定の最大値と最小値とのあいだに制限する手段と、
前記差と前記制限された蓄圧器圧力上昇勾配（Ｒａｉｌ＿ｄｐＳｅｔＰｏｉｎｔＩｎｃ）とを比較して、小さいほうの値を選択する手段と、
該選択された小さいほうの値を前記第１の蓄圧器圧力目標値（Ｐ＿Ｒａｉｌ＿Ｓｏｌｌ’（ｔ−１））に加算して、現在の蓄圧器圧力目標値を取得する手段と
を有する、
ことを特徴とする内燃機関の制御装置。
【請求項３】
内燃機関の燃料供給システムの高圧領域の圧力を定める蓄圧器の圧力目標値である蓄圧器圧力目標値を決定するために、
内燃機関の制御装置としてのコンピュータに、
機関回転数（ｎ）およびトルク要求（Ｍ）に基づいて蓄圧器圧力目標値を設定する第１の特性マップ（Ｋｐ）から、第１の計算時点での第１の蓄圧器圧力目標値（Ｐ＿Ｒａｉｌ＿Ｓｏｌｌ’（ｔ−１））と、前記第１の計算時点より時間的に後の第２の計算時点での第２の蓄圧器圧力目標値（Ｐ＿Ｒａｉｌ＿Ｓｏｌｌ’（ｔ））とを取得し、前記第１の蓄圧器圧力目標値と前記第２の蓄圧器圧力目標値との差を取得するステップと、
機関システム量（ＩｎｊＣｔｌ＿ｑＳｅｔＵｎＢａｌ）および平均機関回転数（Ｅｎｇ＿ｎＡｖｒｇ）に基づいて蓄圧器圧力上昇勾配を設定する第２の特性マップ（Ｒａｉｌ＿ｄｐＳｅｔＰｏｉｎｔＩｎｃ＿Ｍａｐ）から、蓄圧器圧力上昇勾配を取得するステップと、
変速機の速度段（Ｇｅａｂｘ＿ｓｔＧｅａｒ）および蓄圧器圧力（ＲａｉｌＣＤ＿ｐＰｅａｋ）に基づいて蓄圧器圧力上昇勾配に対する補正値を設定する第３の特性マップ（Ｒａｉｌ＿ｄｐＳｅｔＰｏｉｎｔＩｎｃＯｆｓ＿Ｍａｐ）から取得される補正値により、前記取得された蓄圧器圧力上昇勾配を補正するステップと、
該補正された蓄圧器圧力上昇勾配を所定の最大値と最小値とのあいだに制限するステップと、
前記差と前記制限された蓄圧器圧力上昇勾配（Ｒａｉｌ＿ｄｐＳｅｔＰｏｉｎｔＩｎｃ）とを比較して、小さいほうの値を選択するステップと、
該選択された小さいほうの値を前記第１の蓄圧器圧力目標値（Ｐ＿Ｒａｉｌ＿Ｓｏｌｌ’（ｔ−１））に加算して、現在の蓄圧器圧力目標値を取得するステップと
を実行させる、
ことを特徴とするコンピュータプログラム。
【発明の詳細な説明】
【技術分野】
【０００１】
本発明は、レール圧力目標値が最大で、レール圧力目標値を変更するための最大勾配によって変更されかつ該最大勾配が内燃機関の作動パラメータに依存して特性マップから取り出される形式の、内燃機関の高圧レールに対するレール圧力目標値を決定するための方法に関する。
【背景技術】
【０００２】
ディーゼル機関に対する噴射系の持ちを確保するために、車両における負荷集団測定に基づいて、構成要素が上手く作動しないことに関する設計目標の維持が保証される。
【０００３】
機関の組み立てにおいて、噴射系を現在の所普通には比較的高い圧力で作動する傾向が認められている。これにより、コストのかかる構成手段に依拠することなしに故障率を維持するという課題を充足するのは比較的困難になっている。現在の所、比較的高い作動圧力において構成要素の比較的高い寿命を実現するために、例えば材料選択のような措置が講ぜられる。これに付加的に、機関パラメータ適用期間に例えばレール圧力特性マップの設計、高圧閉ループ制御のような措置を講ずることができる。適用に関連した非常に多くの措置は機関特性、殊にその放出およびその出力特性に影響力を持っている。
【発明の概要】
【発明が解決しようとする課題】
【０００４】
本発明の課題は、構成要素の構造上の変更を行わないでその寿命を高めることである。
【課題を解決するための手段】
【０００５】
この課題は、内燃機関の燃料供給システムの高圧領域の圧力を定める蓄圧器の圧力目標値である蓄圧器圧力目標値を決定するための方法であって、機関回転数（ｎ）およびトルク要求（Ｍ）に基づいて蓄圧器圧力目標値を設定する第１の特性マップ（Ｋｐ）から、複数の蓄圧器圧力目標値（Ｐ＿Ｒａｉｌ＿Ｓｏｌｌ）を取得し、機関システム量（ＩｎｊＣｔｌ＿ｑＳｅｔＵｎＢａｌ）および平均機関回転数（Ｅｎｇ＿ｎＡｖｒｇ）に基づいて蓄圧器圧力上昇勾配を設定する第２の特性マップ（Ｒａｉｌ＿ｄｐＳｅｔＰｏｉｎｔＩｎｃ＿Ｍａｐ）から、蓄圧器圧力上昇勾配を取得し、変速機の速度段（Ｇｅａｂｘ＿ｓｔＧｅａｒ）および蓄圧器圧力（ＲａｉｌＣＤ＿ｐＰｅａｋ）に基づいて蓄圧器圧力上昇勾配に対する補正値を設定する第３の特性マップ（Ｒａｉｌ＿ｄｐＳｅｔＰｏｉｎｔＩｎｃＯｆｓ＿Ｍａｐ）から取得される補正値により、前記取得された蓄圧器圧力上昇勾配を補正し、該補正された蓄圧器圧力上昇勾配を所定の最大値と最小値とのあいだに制限し、該制限された蓄圧器圧力上昇勾配（Ｒａｉｌ＿ｄｐＳｅｔＰｏｉｎｔＩｎｃ）に基づいて前記取得された複数の蓄圧器圧力目標値から１つの蓄圧器圧力目標値を選択することによって、現在の蓄圧器圧力目標値を形成する方法によって解決される。
【図面の簡単な説明】
【０００６】
【図１】燃料調量システムのブロック線図
【図２】レール圧力の目標値を決定する基本形態を示す略線図
【図３】レール圧力の勾配を決定する基本形態を示す略線図
【発明を実施するための形態】
【０００７】
レール圧力目標値は、レール（蓄圧器）において予め定められた目標値として閉ループ制御される圧力である。内燃機関はディーゼル機関であっても、オットー機関であってもよい。内燃機関の作動パラメータは測定されたまたはモデル化された物理量、例えば目標回転数、実際回転数、目標噴射量、実際噴射量、実際レール圧力、機関システム量または内燃機関の種々の温度もしくは圧力量である。特性マップは入力値を出力値に結び付けかつ１次元または多次元のテーブルの形において、例えば制御装置のメモリに格納しておくことができる。
【０００８】
有利には、最大勾配の値が下方への最小値および／または上方への最大値に制限されるようになっている。つまり勾配の最大値は両方の方向において制限され、これにより高すぎる勾配および低すぎる勾配、殊に勾配＜０は排除される。
【０００９】
冒頭に述べた形式の課題は、レール圧力目標値が最大で、レール圧力目標値を変更するための最大勾配によって変更されかつ該最大勾配が内燃機関の作動パラメータに依存して特性マップから取り出される形式の、内燃機関の高圧レールに対するレール圧力目標値を決定するための手段を備えている装置、殊に内燃機関の制御装置であって、前記作動パラメータは有段変速機の挿入された速度段および／またはレール圧力実際値を含んでいる装置によって解決される。
【００１０】
冒頭に述べた課題は、プログラムがコンピュータにおいて実行されるとき、本発明の方法によるすべてのステップを実施するためのプログラムコードを備えているコンピュータプログラムによって解決される。
【実施例】
【００１１】
次に本発明の実施例を添付図面に基づいて詳細に説明する。
【００１２】
図１には、高圧噴射ポンプを備えている内燃機関の燃料供給システムの、本発明を理解する上で必要な部品が図示されている。図示のシステムは通例、コモンレールシステムと称される。１００で燃料貯蔵容器が示されている。これはプレフィードポンプ１１０を介して高圧ポンプ１２５に接続されている。高圧ポンプ１２５は少なくとも１つのエレメント遮断弁を含んでいる。高圧ポンプ１２５はレール１３０に接続されている。レール１３０は蓄圧器とも称され、燃料導管を介して種々のインジェクタに接続されている。センサ１４０を用いてレールもしくは高圧領域全体における圧力の時間に依存した実際値Ｐ＿Ｒａｉｌ＿Ｉｓｔ（ｔ）が検出される。その際、時間依存性は付されている変数（ｔ）によって表される。圧力閉ループ制御弁１３５を介してレール１３０は燃料貯蔵容器１００に接続可能である。圧力閉ループ制御弁１３５はコイル１３６を用いて制御可能である。制御部１６０はエレメント遮断弁１２６にドライブ制御信号ＡＰ、インジェクタ１３１にドライブ制御信号Ａおよび圧力閉ループ制御弁１３６に信号ＡＶを供給する。制御部１６０は、内燃機関および／または内燃機関が駆動する自動車の作動状態を特徴付けている種々のセンサ１６５の種々の信号を処理する。この種の作動状態は例えば内燃機関の実際回転数ｎ＿ｉｓｔである。
【００１３】
この装置は次のように動作する：貯蔵容器に存在している燃料はプレフィードポンプ１１０から高圧ポンプ１２５に搬送される。高圧ポンプ１２５は燃料を低圧領域から高圧領域に搬送する。高圧ポンプ１２５はレール１３０において非常に高い圧力を形成する。通例、外部点火される内燃機関に対するシステムの場合約３０〜１００ｂａｒの圧力値が実現され、自己点火形内燃機関の場合約１０００〜２０００ｂａｒの圧力値が実現される。インジェクタ１３１を介して燃料は高圧下で内燃機関の個々のシリンダに調量されるようになっている。センサ１４０を用いて、レールもしくは高圧領域全体におけるレール圧力実際値Ｐ＿Ｒａｉｌ＿Ｉｓｔ（ｔ）が検出されかつ制御部１６０においてレール圧力目標値Ｐ＿Ｒａｉｌ＿Ｓｏｌｌと比較される。この比較に依存して、圧力閉ループ制御弁１３５が制御される。所要燃料量が僅かである場合、高圧ポンプ１２５の搬送出力はエレメント遮断弁の相応のドライブ制御により段階的に低減されるようにすることができる。
【００１４】
このためにレール圧力目標値Ｐ＿Ｒａｉｌ＿Ｓｏｌｌは、内燃機関の作動状態の種々様々なパラメータが入ってくるようになっている特性マップから取り出される。内燃機関のダイナミック作動、つまりトルク要求または回転数のようなパラメータが変化するとき、レール圧力目標値は突然ではなくて、時間遅延を以て変化される。このことは図２において、回転数ｎ、要求されるトルクＭ等のような内燃機関の作動パラメータが特性マップＫｐに入ってくるので、特性マップＫｐからレール圧力に対する目標値Ｐ＿Ｒａｉｌ＿Ｓｏｌｌ’（ｔ）を取り出すことができる。先行する計算ステップの目標値Ｐ＿Ｒａｉｌ＿Ｓｏｌｌ’（ｔ−１）はその時点で特性マップＫｐから読み出されたＰ＿Ｒａｉｌ＿Ｓｏｌｌ’（ｔ）から減算されかつ勾配Ｒａｉｌ＿ｄｐＳｅｔＰｏｉｎｔｌｎｃと比較される。それから両方の値の最小値が先行する計算ステップの目標値Ｐ＿Ｒａｉｌ＿Ｓｏｌｌ’（ｔ−１）に加算されかつこのようにして現在の目標値Ｐ＿Ｒａｉｌ＿Ｓｏｌｌ（ｔ）を形成する。
【００１５】
図３には、レール圧力目標値Ｐ＿Ｒａｉｌ＿Ｓｏｌｌ（ｔ）を変更するための最大勾配Ｒａｉｌ＿ｄｐＳｅｔＰｏｉｎｔＩｎｃの値を決定するための基本原理が示されている。公知の方法は、機関の定常的な作動点における要求に相応するレール圧力目標値を設定している。ダイナミックな機関利用ではとりわけ、閉ループ制御および騒音技術の理由から、レール圧力目標値特性マップの点が圧力上昇（例えばｂａｒ／ｓにおいて）に対するレール圧力勾配特性マップＲａｉｌ＿ｄｐＳｅｔｐｏｉｎｔＩｎｃ＿Ｍａｐと相互に結合される。この圧力上昇勾配特性マップは機関システム量ＩｎｊＣｔｌ＿ｑＳｅｔＵｎＢａｌおよび機関回転数Ｅｎｇ＿ｎＡｖｒｇに依存する。
【００１６】
そこで本発明の実施例では、特性マップＲａｉｌ＿ｄｐＳｅｔＰｏｉｎｔＩｎｃ＿Ｍａｐにおいて、レール圧力が比較的高い状態にある場合に目標値をますます緩慢に得ることを目的として、速度段依存のＧｅａｒｂｘ＿ｓｔＧｅａｒ、実際回転数依存のｎ＿ｉｓｔおよびレール圧力依存のＲａｉｌＣＤ＿ｐＰｅａｋを使用してレール圧力上昇勾配特性マップＲａｉｌ＿ｄｐＳｅｔＰｏｉｎｔＩｎｃ＿Ｍａｐのピーク低減が行われるようにしている。
【００１７】
レール圧力実際値依存により、影響を及ぼすべき量に対する直接的な（システム量を介する手間をかけずに）介入操作が可能になる。速度段依存により選択な利用を可能にすることおよびレール圧力実際値依存を取り入れることにより、例えば低い速度段においてだけ影響力が及び、関連していない圧力領域には触れない。
【００１８】
誤った適用により大きすぎる上昇勾配または≦０の上昇勾配が妨げられるように、両側での制限が可能である（Ｒａｉｌ＿ｄｐＳｅｔｐｏｉｎｔＩｎｃ＿Ｍａｘ＿ＣおよびＲａｉｌ＿ｄｐＳｅｔｐｏｉｎｔＩｎｃ＿Ｍｉｎ＿Ｃ）。
【００１９】
圧力上昇に対するこの速度段依存のレール圧力低減勾配特性マップＲａｉｌ＿ｄｐＳｅｔｐｏｉｎｔＩｎｃＯｆｓ＿ＭａｐはＰＴ１フィルタの特性に等しい。
【００２０】
「勾配の低減」（リダクショングラジェント）の巧妙な選択により、機関特性への影響を僅かに抑えることができる。
【符号の説明】
【００２１】
１００  燃料貯蔵容器、  １１０  プレフィードポンプ、  １２５  高圧ポンプ、  １２６  エレメント遮断弁、  １３０  レール、  １３１  インジェクタ、  １３５  圧力閉ループ制御弁、  １３６  コイル、  １４０  センサ、  １６０  制御部、  １６５  センサ
【図１】
0005606504.tif 000002
【図２】
0005606504.tif 000003
【図３】
0005606504.tif 000004